(57)【要約】【課題】濯槽内における悪臭の発生を効率的に防止できるランドリー装置を提供する。【解決手段】ランドリー装置１は、洗濯物が投入されるドラムと、ドラムを収容する外胴と、ドラムを回転させる回転駆動部と、外胴の内部に向けて帯電微粒子を供給する帯電微粒子発生部と、回転駆動部と帯電微粒子発生部を制御する制御部と、を備え、制御部は、回転駆動部が非稼働で、時刻が所定時間帯のときに、帯電微粒子発生部を稼働させる。所定時間帯は、夜遅くから明け方までの時間帯（例えば午後１０時から午前６時）である。【選択図】図１
2020039476.tif 000002
【特許請求の範囲】
【請求項１】
洗濯物が投入されるドラムと、
前記ドラムを収容する外胴と、
前記ドラムを回転させる回転駆動部と、
前記外胴の内部に向けて帯電微粒子を供給する帯電微粒子発生部と、
前記回転駆動部と前記帯電微粒子発生部を制御する制御部と、
を備え、
前記制御部は、前記回転駆動部が非稼働で、時刻が所定時間帯のときに、前記帯電微粒子発生部を稼働させるランドリー装置。
【請求項２】
前記所定時間帯は、夜遅くから明け方までの時間帯である請求項１に記載のランドリー装置。
【請求項３】
前記所定時間帯は、午後１０時から午前６時である請求項２に記載のランドリー装置。
【請求項４】
前記ドラムと前記外胴が水平配置され、
前記帯電微粒子発生部が前記外胴の頂部に接続される請求項１から３のうちいずれか一項に記載のランドリー装置。
【請求項５】
前記ドラムの容量が１００Ｌ以上である請求項１から３のうちいずれか一項に記載のランドリー装置。
【請求項６】
洗濯物が投入される洗濯槽と、
前記洗濯槽を収容する外胴と、
前記洗濯槽を駆動させる駆動部と、
前記外胴の内部に向けて帯電微粒子を供給する帯電微粒子発生部と、
前記駆動部と前記帯電微粒子発生部を制御する制御部と、
を備え、
前記制御部は、前記駆動部が非稼働で、時刻が所定時間帯のときに、前記帯電微粒子発生部を稼働させるランドリー装置。
【発明の詳細な説明】
【技術分野】
【０００１】
本発明の実施形態は、洗濯槽内における悪臭の発生を防止できるランドリー装置に関する。
【背景技術】
【０００２】
洗濯機器には、所謂家庭用の洗濯機器と、業務用の洗濯機器がある。業務用の洗濯機器としては、一般顧客向けに、洗濯機、乾燥機等を貸与するコインランドリー装置と、顧客からの洗濯依頼を受けて、大量に洗濯乾燥を行う為の一般業務用洗濯機器がある。一般業務用洗濯機器を業務用ランドリー装置と呼ぶ。
業務用ランドリー装置の特徴としては、大量の洗濯物を取り扱う点にある。このため、汗や皮脂などの汚れが洗濯槽に残りやすい。そして、この汚れが栄養分となって洗濯槽で雑菌が繁殖して、悪臭を発生させる。
ランドリー装置の開閉扉を開けたときに、洗濯槽に匂いが残っていると、ユーザーが不快に思い、利用を控えてしまうおそれがある。
そこで、洗濯槽にイオン発生機を取り付ける技術が家庭用洗濯機において提案されている。
【先行技術文献】
【特許文献】
【０００３】
【特許文献１】特開２０１１−４５６１９号公報
【発明の概要】
【発明が解決しようとする課題】
【０００４】
しかし、コインランドリー装置や業務用ランドリー装置の洗濯槽は、家庭用洗濯機に比べて、容量が大きい。また、不特定多数の人が使用するため、開閉扉の開閉頻度が多い。このため、イオン発生機を取り付けたとしても十分に脱臭できずに匂いが残ってしまうという問題がある。
また、イオン発生機は、ランドリー装置の回転駆動部等に比べて、製品寿命が短い。このため、イオン発生機を長時間にわたって稼働させ続けることができないという問題がある。
【０００５】
本発明は、上記した事情に鑑み提案されたものであり、洗濯槽内における悪臭の発生を効率的に防止できるランドリー装置を提供することを目的とする。
【課題を解決するための手段】
【０００６】
実施形態のランドリー装置は、洗濯物が投入されるドラムと、前記ドラムを収容する外胴と、前記ドラムを回転させる回転駆動部と、前記外胴の内部に向けて帯電微粒子を供給する帯電微粒子発生部と、前記回転駆動部と前記帯電微粒子発生部を制御する制御部と、を備え、前記制御部は、前記回転駆動部が非稼働で、時刻が所定時間帯のときに、前記帯電微粒子発生部を稼働させることを特徴とする。
【０００７】
また、実施形態のランドリー装置は、前記所定時間帯は、夜遅くから明け方までの時間帯であることを特徴とする。
【０００８】
また、実施形態のランドリー装置は、前記所定時間帯は、午後１０時から午前６時であることを特徴とする。
【０００９】
また、実施形態のランドリー装置は、前記ドラムと前記外胴が水平配置され、前記帯電微粒子発生部が前記外胴の頂部に接続されることを特徴とする。
【００１０】
また、実施形態のランドリー装置は、前記ドラムの容量が１００Ｌ以上であることを特徴とする。
【００１１】
実施形態のランドリー装置は、洗濯物が投入される洗濯槽と、前記洗濯槽を収容する外胴と、前記洗濯槽を駆動させる駆動部と、前記外胴の内部に向けて帯電微粒子を供給する帯電微粒子発生部と、前記駆動部と前記帯電微粒子発生部を制御する制御部と、を備え、前記制御部は、前記駆動部が非稼働で、時刻が所定時間帯のときに、前記帯電微粒子発生部を稼働させることを特徴とする。
【図面の簡単な説明】
【００１２】
【図１】実施形態のランドリー装置を示す正面図である。
【図２】ランドリー装置の概略構成を示す模式図である。
【図３】ランドリー装置の縦断面図である。
【図４】ランドリー装置の制御系統を示すブロック図である。
【図５】消臭処理を示すフローチャートである。
【発明を実施するための形態】
【００１３】
以下、実施形態のランドリー装置１を、図面を参照して説明する。各図において、同一構成については同一の符号を付す。
【００１４】
〔ランドリー装置１〕
図１は、実施形態のランドリー装置１を示す正面図である。
図２は、ランドリー装置１の概略構成を示す模式図である。
図３は、ランドリー装置１の縦断面図である。
【００１５】
ランドリー装置１は、利用料金の支払いを要する洗濯乾燥機等である。
ランドリー装置１は、直方体形の筐体２と、この筐体２の内部に配置された外胴３およびドラム４を備える。ドラム４には、多数のパンチ孔が設けられる。
外胴３は、横向きの有底円筒体であり、筐体２の内部に配置される。ドラム４も横向きの有底円筒体であり、外胴３の内部に配置（収容）される。
【００１６】
筐体２は、フロントパネル２ａのほぼ中央に、円形状のパネル開口２ｂを有する。外胴３は、衣類やシーツなどの洗濯物を出し入れする投入口６を有し、この投入口６がパネル開口２ｂに露出するように固定される。
フロントパネル２ａには、投入口６を開閉する開閉扉７が配置される。開閉扉７は、投入口６閉塞できる円板形を有し、中央部分には窓が設けられる。開閉扉７と投入口６の縁部との間には、気密性を高めるためのシール材（不図示）が配置される。
【００１７】
投入口６の縁部には、ハンドル式の扉ロック８が設けられる。利用者は、ハンドルを用いて開閉扉７を開閉したり、開閉扉７をラッチ（空締まり）したり、ラッチを外したりできる。
また、扉ロック８は、後述する制御部３０により開閉扉７の施解錠（施錠と解錠）が制御される。すなわち、制御部３０は、開閉扉７を閉じてラッチした状態でハンドルを固定することができる。つまり、制御部３０は、扉ロック８により開閉扉７を施錠して投入口６を密閉した状態を維持できる。
一方、制御部３０が開閉扉７を解錠すると、手動でハンドルを引いてラッチを外すことが可能になり、さらに開閉扉７を開いて投入口６を開放できる。
扉ロック８には、開閉扉７を閉じてラッチした状態を検出する開閉センサー４１も設けられる。開閉センサー４１は、検出データーを制御部３０に出力する。
【００１８】
外胴３は、給水管１５や排水管１６が接続される。外胴３は、給水管１５から供給された水を貯留したり、貯留された水を排水管１６からランドリー装置１の外部に排出したりする。
外胴３には、水位を検出する水位センサー４２が設けられる。水位センサー４２は、検出データーを制御部３０に出力する。
【００１９】
外胴３には、乾燥用の温風を供給する温風供給路２０と温風排出路２１が接続される。
温風供給路２０には、加熱ユニット２２や過熱防止装置、安全装置等が配置される。加熱ユニット２２は、ガスバーナーである。
温風排出路２１には、フィルタ、ファン２３、過熱防止装置、チャッキダンバー等が配置される。
ファン２３を回転させると、温風供給路２０に導入した空気が加熱ユニット２２により加熱されて、外胴３に温風が供給される。これにより、ドラム４に投入された洗濯物が乾燥する。そして、湿気を含んだ空気が外胴３から温風排出路２１に導入されて、外部に排出される。
【００２０】
温風排出路２１の下流には、温度センサー１８が配置される。温度センサー１８は、外胴３から温風排出路２１に導入された空気の温度を測定する。そして、温度センサー１８は、測定データーを制御部３０に出力する。
【００２１】
ドラム４は、外胴３に対して隙間を隔てつつ、その開口が外胴３の投入口６に一致するように配置される。ドラム４は、後方に向けて延びる回転軸（不図示）を有し、この回転軸が外胴３により回転可能に支持される。
回転軸の後端には、モータ２８等を備える回転駆動部（駆動部）が接続される。回転駆動部は、モータ２８の回転をプーリとベルトを介して回転軸に伝達して、ドラム４を回転駆動する。
【００２２】
フロントパネル２ａの上部には、操作入力部１１が配置される。操作入力部１１は、制御部３０に接続されており、利用者が洗濯物処理運転に対する操作を行う。
操作入力部１１に隣接して、表示部が配置される。表示部は、洗濯物処理運転に関する情報等を表示する。表示部には、洗濯物処理運転に関する情報として、例えばランドリー装置１の利用時間、利用料金が表示される。
【００２３】
操作入力部１１の右側には、料金受付部１２が配置される。料金受付部１２は、ランドリー装置１の利用料金を受け付ける。料金受付部１２は、利用料金として、金銭の他、クレジットカードや各種ポイント等による支払いも受け付けることができる。
【００２４】
外胴３の頂部には、帯電微粒子発生部５０が接続される。帯電微粒子発生部５０は、外胴３およびドラム４の内部に向けて帯電微粒子を供給する。
帯電微粒子とは、酸素のマイナスイオンや水素のプラスイオン、帯電微粒子水、活性酸素等であり、消臭効果、殺菌効果を有する。
帯電微粒子発生部５０は、本体５１とゴムホース５２を備える。
本体５１は、帯電微粒子発生ユニットとファンを内蔵する（いずれも不図示）。
ゴムホース５２は、本体５１と外胴３に接続して、本体５１から放出された帯電微粒子を外胴３に向けて送る。ゴムホース５２は、例えば内径１５ｍｍ、長さ５００ｍｍである。ゴムホース５２の長さはできるだけ短いのが望ましい。
帯電微粒子発生部５０は、外胴３の後方側に接続される。言い換えれば、帯電微粒子発生部５０は、開閉扉７からできるだけ離れた位置に配置される。帯電微粒子が外胴３とドラム４の内部に滞留しやすくし、この帯電微粒子を開閉扉７から外部に漏れにくくするためである。
【００２５】
ゴムホース５２の排出口（外胴３側の口）は、ランドリー装置１が動作した際、内部の水が渦流となり、水はねが生じたとしても、水が届きにくいような位置となっている。このような位置の設定により、ランドリー装置１が通常動作を行っても、水がゴムホース５２の排出口に当たらない。これにより、ゴムホース５２に水の力も加わらず、帯電微粒子発生部５０に与える影響を小さくできる。
【００２６】
筐体２の内部には、ランドリー装置１を統括的に制御する制御部３０が配置される。
制御部（計時部）３０は、例えばＣＰＵ，ＲＯＭ，ＲＡＭ等からなるマイクロコンピュータにより構成される。
制御部３０は、ドラム４に投入された洗濯物に対する洗濯物処理運転（洗濯処理、乾燥処理）を、予め設定された複数の運転工程を経て行う制御を実行する。
【００２７】
また、制御部３０は、洗濯物処理運転が行われていないときに、帯電微粒子発生部５０を、予め設定された所定時間帯に稼働する制御を実行する。制御部３０は、計時機能を有しており、夜遅くから明け方までの時間帯に帯電微粒子発生部５０を稼働する。所定時間帯は、具体的には午後１０時から午前６時である。
夜遅くから明け方までの時間帯は、ランドリー装置１の利用が少ない。つまり、開閉扉７の開閉が少ない。このため、帯電微粒子発生部５０から供給された帯電微粒子が外胴３とドラム４の内部に充満する。したがって、外胴３とドラム４における悪臭の発生を効率的に抑制できる。
【００２８】
〔消臭処理〕
次に、ランドリー装置１の消臭処理について説明する。
図４は、ランドリー装置１の制御系統を示すブロック図である。
図５は、消臭処理を示すフローチャートである。
【００２９】
まず、ランドリー装置１の制御部３０は、現在時刻が予め設定された所定時間帯に属するか否かを判定する（ステップＳ１）。所定時間帯とは、前述したように、夜遅くから明け方までの時間帯であり、例えば午後１０時から午前６時である。
【００３０】
次いで、現在時刻が午後１０時から午前６時に属するときは、洗濯物処理運転中であるか否か判定する（ステップＳ２）。
洗濯物処理運転が行われていないときは、制御部３０は、帯電微粒子発生部５０を稼働する（ステップＳ３）。つまり、帯電微粒子発生部５０から外胴３とドラム４に向けて帯電微粒子を供給する。
【００３１】
ステップＳ２において洗濯物処理運転が行われてるときは、制御部３０は、帯電微粒子発生部５０を非稼働にする（ステップＳ４）。つまり、洗濯物処理運転が完了するまで、帯電微粒子の供給を停止する。
ステップＳ２からＳ４の処理は、所定時間帯外となるまで継続される。
【００３２】
そして、ステップＳ１において所定時間帯外と判定したときは、制御部３０は、帯電微粒子発生部５０を非稼働にする（ステップＳ５）。つまり、再び所定時間帯になるまで、帯電微粒子の供給を停止する。
【００３３】
このように、ランドリー装置１は、洗濯物処理運転が行われておらず、現在時刻が夜遅くから明け方までの時間帯に属する場合は、帯電微粒子発生部５０を稼働する。このため、帯電微粒子発生部５０から放出された帯電微粒子が外胴３とドラム４の内部に効率よく充満する。
ドラム４の容量が１００Ｌ以上の場合には、帯電微粒子が外胴３とドラム４の内部に充満するのに１時間程度の時間を要する。夜遅くから明け方までの時間帯は、ランドリー装置１の利用頻度が低いため、帯電微粒子を外胴３とドラム４の内部に充満させることができる。
したがって、外胴３とドラム４における悪臭の発生を効率的に抑制できる。
【００３４】
ランドリー装置１は、一般顧客を対象にするので、所定時間帯であっても、顧客が、対象となるランドリー装置１を選択し、洗濯物の洗濯を行うことがある。この場合、帯電微粒子は、扉の開閉、乾燥工程の実施等により、装置内部から減少するか、場合によっては、消失する可能性もある。このような場合であっても、帯電微粒子の供給を継続しているので、洗濯プロセス終了後には、帯電微粒子の蓄積が出来るようになる。
顧客が洗濯中の場合、帯電微粒子発生部５０を一体停止することも可能である。
【００３５】
外胴３とドラム４が水平配置され、帯電微粒子発生部５０が外胴３の頂部に接続されるので、外胴３の底部に帯電微粒子を滞留させることができる。外胴３の底部は、水分が残りやすく、悪臭の発生源になりやすい。外胴３の底部帯電微粒子を滞留させることにより、悪臭の発生を効率的に抑制できる。
【００３６】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００３７】
上記実施形態では、帯電微粒子発生部５０を稼働させる所定時間帯が午後１０時から午前６時の場合について説明したが、これに限らない。午後１１時から午前５時、午後９時から午前７時等の時間帯であってもよい。
午前中の１の稼働率が低い場合は、夜遅くから午前中（例えば午前９時まで）の時間帯であってもよい。つまり、所定時間帯は、ランドリー装置１の稼働状況（季節や地域事情等）に応じて、適宜変更してもよい。
【００３８】
上記実施形態では、ランドリー装置１がコインランドリー装置の場合について説明したが、業務用ランドリー装置であってもよい。ドラム４以外の洗濯槽を用いてもよい。
【００３９】
上記実施形態では、外胴３とドラム４が水平配置される場合について説明したが、これに限らない。外胴３とドラム４が縦配置や斜め配置される場合であってもよい。
【００４０】
上記実施形態では、洗濯処理と乾燥処理とを実行可能な１を例示して説明したが、本発明はこれに限定されない。例えば、洗濯物に対して洗濯処理のみを実行する洗濯機に本発明を適用してもよいし、あるいは、洗濯物に対して乾燥処理のみを実行する乾燥機に本発明を適用してもよい。
【００４１】
また、上記実施形態では、水を使用して洗濯を行う水洗タイプの機器を例示して説明したが、本発明はこれに限定されない。例えば、石油系溶剤等の溶剤を使用して洗濯を行うドライクリーニングタイプの洗濯機（洗濯乾燥機）に本発明を適用してもよい。つまり、本発明は、コインランドリーまたは一般業務用洗濯機に適用できる。
【００４２】
操作入力部１１や料金受付部１２等が筐体２に配置される場合について説明したが、これに限らない。操作入力部や料金受付部等が筐体とは別に配置される場合であってもよい。すなわち、各ランドリー装置１がそれぞれ料金受付部等を備える分離型に限らず、いわゆる集中精算機方式により複数のランドリー装置１の操作や支払を受け付ける場合であってもよい。また、ランドリー装置１が料金受付部１２を備えない場合であってもよい。
【００４３】
また、上記実施形態では、所定時間帯が夜遅くから明け方までの時間帯の場合について説明したが、これに限らない。所定時間帯は、就業時間外（例えば午後６時から午前９時）や休業日（終日）であってもよい。また、所定時間帯を繁忙期に短縮（例えば午前０時から午前５時）し、閑散期に延長（午後７時から午前９時）してもよい。つまり、所定時間帯は任意に設定でき、特にランドリー装置１の稼働時間外に設定することが好ましい。
【符号の説明】
【００４４】
１  ランドリー装置  
３  外胴  
４  ドラム（洗濯槽）  
７  開閉扉  
２８  モータ（回転駆動部，駆動部）
３０  制御部（計時部）  
５０  帯電微粒子発生部  
【図１】
2020039476.tif 000003
【図２】
2020039476.tif 000004
【図３】
2020039476.tif 000005
【図４】
2020039476.tif 000006
【図５】
2020039476.tif 000007